(57)【特許請求の範囲】
【請求項１】
圧縮機の頭部に設けられ、該圧縮機を吊るす山形状の吊り金具部と、この山形状の吊り金具の両脚部に脱着自在に装着され、前記圧縮機の頭部温度を検知するセンサーを保持するセンサー押え金具と、を備え、前記センサー押え金具が、前記吊り金具部に装着されることによって前記センサーが前記圧縮機の頭部に当接するようにしたことを特徴とする圧縮機センサーの取付装置。
【請求項２】
前記センサー押え金具が、前記山形状の吊り金具の両脚部に装着される手段として前記吊り金具の脚部の断面形状とほぼ同じ寸法のＵ字状の押え金具装着部を両端部に具備したことを特徴とする請求項１に記載の圧縮機センサーの取付装置。
【請求項３】
前記センサー押え金具が、前記センサーを前記圧縮機の頭部に保持する手段として前記センサーの断面形状とほぼ同じ寸法の逆Ｕ字状のセンサー保持部を具備したことを特徴とする請求項２に記載の圧縮機センサーの取付装置。
【請求項４】
前記両端部のＵ字状押え金具装着部の互いの軸心のなす角度が、前記吊り金具部の両脚部の互いのなす角度よりも大きくなるように構成されたことを特徴とする請求項２に記載の圧縮機センサーの取付装置。
【請求項５】
前記Ｕ字状の押え金具装着部が、そのＵ字状の先端部に前記吊り金具部を案内するくの字状の案内部を具備したことを特徴とする請求項２に記載の圧縮機センサーの取付装置。
【請求項６】
前記逆Ｕ字状のセンサー保持部が、その逆Ｕ字状の先端部に前記センサーを案内するくの字状の案内部を具備したことを特徴とする請求項３に記載の圧縮機センサーの取付装置。
【発明の詳細な説明】
【０００１】
【発明の属する技術分野】
本発明は、圧縮機の頭部温度を検出するセンサーを保持する圧縮機センサーの取付装置に関するものである。
【０００２】
【従来の技術】
図６は、従来の圧縮機のセンサー押え金具の部品取付け順序を示す斜視図であり、この図において、１は圧縮機、２はこの圧縮機１の頭部に固定され、圧縮機１を吊り上げる丸棒等で山形状に形成された吊り金具、３は圧縮機１の頭部に取付けられ、該頭部温度を検出するセンサー、４はこのセンサー３を押える弾性材からなる押え金具、６はこの押え金具４及びセンサー３を収納するセンサーホルダ、７はこのセンサーホルダ６と吊り金具２との間に設けられ、センサーホルダ６を吊り金具２の下の圧縮機１頭部に押えつける弾性材からなるセンサーホルダ押え金具である。
【０００３】
次に、この動作につて図７〜図９を用いて説明する。
まず、図７に示すように、圧縮機１の頭部に取付けられた山形状の吊り金具２の内部にセンサーホルダ押え金具７を挿入し、センサーホルダ押え金具７の中央部に設けられた半円形状部両端７ａを山形状の吊り金具２の上部内周へ接触させた状態で維持する。
次に、この挿入したセンサーホルダ押え金具７の下に、この押え金具７の案内板７ｂに合わせてセンサーホルダ６を挿入する。
【０００４】
なお、この時、センサーホルダ６はセンサーホルダ押え金具７を上方へ押上げるため、半円形状部両端７ａは押上げられた状態で吊り金具２の山形状傾斜部内周に接触し、固定される。
即ち、弾性材からなるホルダ押え金具７は図７の二点鎖線状に示す形状に変形した状態でセンサーホルダ６を圧縮機１の頭部外表面に押えつけることになる。
【０００５】
次に、図８に示すように、この圧縮機１の頭部外表面に押えつけられたセンサーホルダ６内に、センサー押え金具４を挿入し、その後更に、この挿入後の隙間寸法より大きいセンサー３をセンサー押え金具４の下に挿入する。
従って、図８の二点鎖線状に示すように、弾性材からなるセンサー押え金具４はセンサー３によって上方へ押し上げられるため、その結果、センサー押え金具４は逆にセンサー３を圧縮機側のセンサーホルダ６内壁に押えつけて固定し、この状態でセンサー３は圧縮機１の頭部外表面の温度を検知することになる。
【０００６】
また、以上説明した状態、即ち、センサー保持に使用する部品４、６、７、並びに、センサー３を取付けた後では、図６に示すように、圧縮機１の吊り金具２の山形状内に圧縮機吊り上げ具（フック）５を挿入する空間を確保できないため、圧縮機を交換したいときは、全てにこれの部品３、４、６、７を取り外し、図９の状態にしてから圧縮機を吊り上げることになる。
【０００７】
【発明が解決しようとする課題】
以上説明したように、従来の圧縮機センサーの取付装置は、センサー押え金具を全て外さなければ圧縮機を吊り上げることができないという問題点があった。
【０００８】
また、センサーと圧縮機頭部とが間接的に接触しているため、密着性が弱く、センサーの検知精度が低いという問題点があった。
【０００９】
また、部品点数が多く、組合工数も多くなり、材料費、作業費が高くなるという問題点があった。
【００１０】
この発明は係る問題点を解決するためになされたもので、少ない構成部品で、簡単に圧縮機頭部の温度が正確に検出でき、また、圧縮機の運搬が簡単にできる使い勝手が良く、経済的で、信頼性の高い圧縮機センサーの取付装置を得ることを目的とする。
【００１１】
【課題を解決するための手段】
この発明は、圧縮機の頭部に設けられ、該圧縮機を吊るす山形状の吊り金具部と、この山形状の吊り金具の両脚部に脱着自在に装着され、前記圧縮機の頭部温度を検知するセンサーを保持するセンサー押え金具と、を備え、前記センサー押え金具が、前記吊り金具部に装着されることによって前記センサーが前記圧縮機の頭部に当接するようにしたたものである。
【００１２】
また、前記センサー押え金具が、前記山形状の吊り金具の両脚部に装着される手段として前記吊り金具の脚部の断面形状とほぼ同じ寸法のＵ字状の押え金具装着部を両端部に具備したものである。
【００１３】
また、前記センサー押え金具が、前記センサーを前記圧縮機の頭部に保持する手段として前記センサーの断面形状とほぼ同じ寸法の逆Ｕ字状のセンサー保持部を具備したものである。
【００１４】
また、前記両端部のＵ字状押え金具装着部の互いの軸心のなす角度が、前記吊り金具部の両脚部の互いのなす角度よりも大きくなるように構成されたものである。
【００１５】
また、前記Ｕ字状の押え金具装着部が、そのＵ字状の先端部に前記吊り金具部を案内するくの字状の案内部を具備したものである。
【００１６】
また、前記逆Ｕ字状のセンサー保持部が、その逆Ｕ字状の先端部に前記センサーを案内するくの字状の案内部を具備したものである。
【００１７】
【発明の実施の形態】
実施の形態１．
以下、この発明の実施形態１について図１〜３を用いて説明する。
なお、図１は圧縮機の吊り金具を利用してセンサーを保持している状態、並びにセンサーを保持するまでの部品取付け順序を示す斜視図である。同図において、１は冷媒を圧縮する圧縮機、２はこの圧縮機１の頭部に固定され、圧縮機１を吊り上げる丸棒等（角棒でも良い）で山形状に形成された吊り金具、３は圧縮機１の頭部に取付けられ、該頭部温度を検出するセンサー、１０は前述の吊り金具２に取付けられ、センサー３を圧縮機１の頭部に押える弾性材からなるセンサー押え金具であり、この押え金具１０は、図２に示すように、該押え金具本体の左右両側の端部に設けられ、吊り金具２に挿入されるＵ字状の押え金具装着部１０ａと、センサー３を圧縮機１の頭部に保持する逆Ｕ字状のセンサー保持部１０ｄとを具備している。
【００１８】
なお、これらの構成において、吊り金具２に挿入されて取付けられる押え金具装着部１０ａのＵ字状の断面は吊り金具２の脚部断面とほぼ同じ形状で、同じ寸法になっており、
また、センサー保持部１０ｄの逆Ｕ字状の断面はセンサー３の断面とほぼ同じ形状で、同じ寸法になっている。
【００１９】
次に、この動作について説明する。
まず、図１に示すように、圧縮機１に取付けられた山形状の吊り金具２の両側脚部へセンサー押え金具１０のＵ字状装着部１０ａのそれぞれに挿入して取付ける。
次に、この山形状の吊り金具２に取付けられたセンサー押え金具１０の逆Ｕ字状のセンサー保持部１０ｄにセンサー３を挿入することによって、センサー３を圧縮機１の頭部に接触させ、圧縮機頭部温度を検知するようにさせる。
なお、この時、まず、 センサー３を逆Ｕ字状のセンサー保持部１０ｄにセンサー３を挿入し、その挿入した状態で、山形状の吊り金具２の脚部へＵ字状脚部１０ａを挿入し、センサー押え金具１０を取付けるようにしても良い。
【００２０】
また、この時、図２に示すように、センサー押え金具１０の左右両端に設けられた押え金具装着部１０ａの互いの軸心のなす角度が吊り金具両脚部の互いになす角度よりも大きくなるように、言い換えれば、吊り金具２に対する押え金具装着部１０ａの取付け傾斜角度１０ｂ＞吊り金具脚部の圧縮機頭部面に対する傾斜角度２ａとなるようにすると、センサー押え金具の装着部１０ａを山形状の吊り金具２に挿入して取付けた時、図２の二点鎖線状に示すように、押え金具装着部１０ａが吊り金具２の両脚部の互いになす角度に沿って圧縮機頭部側へ強制的に倒され、押え金具１０のセンサー保持部１０ｄを有する本体が圧縮機頭部側へ押え付けられるような状態となるので、その結果、センサー３が圧縮機側に押え付けられ、圧縮機頭部温度を更に正確に検知するようになる。
【００２１】
また、この押え金具装着部１０ａの吊り金具２に沿った圧縮機側への倒れによって、戻ろうとする力が装着部１０ａに作用するため、その結果、センサー押え金具１０は装着部１０ａを介して更に確り吊り金具２へ固定するようになる。
【００２２】
また、このような構成において、押え金具装着部１０ａのＵ字状開口部の先端に、この先端開口側では吊り金具２の太さよりも大きく、かつ、その奥側のくの字状の折り曲り部で吊り金具２の太さよりも小さくなったくの字状の案内部１０ｅを設け、このくの字状の案内部１０ｅで吊り金具２を挿入時に案内するようにすると、押え金具装着部１０が吊り金具２へスムースに挿入されると共に、押え金具装着部１０ａの強度が増すため、更に確り吊り金具２へ固定されるようになる。
【００２３】
また、この時、図３に示すように、センサー保持部１０ｄのセンサー保持曲率半径４ｆ＜センサー３の曲率半径となるように構成して、センサー３を挿入すると、センサー保持部１０ｄが実線から破線へ変化する。即ち、センサー３がセンサー保持部１０ｄを上方へ移行するような構成にすると、その反力によってセンサー保持部１０ｄがセンサー３を圧縮機１のシェル頭部へ常に押え付けるようになるため、センサー３が圧縮機の頭部温度を更に正確に検知するようになる。
【００２４】
また更に、センサー保持部１０ｄの逆Ｕ字状開口部の先端にも、この開口先端側でセンサー３の太さよりも大きく、かつ、その奥側のくの字状の折り曲り部でセンサー３の太さよりも小さくなったくの字状の案内部を設けると、センサー３がスムースに押え金具装着部１０へ取付られると共に、センサー保持部１０ｄの強度が増すため、更にセンサー３を確り固定するようになる。
【００２５】
なお、以上の説明では、押え金具装着部１０ａが吊り金具２の両脚部から外れないようにするため、押え金具装着部１０ａのＵ字状開口部に吊り金具２の太さよりも小さくなった部位を設けたが、Ｕ字状の開口部先端を吊り金具２が挿入された後、ねじ等で先端側が締まるような構造にしても良い。
【００２６】
次に、この実施の形態１の他の形態を図４は示す。この図に示すように、山形状の吊り金具２の圧縮機１に取付けられた両側脚部にセンサー押え金具１０のＵ字状押え金具装着部１０ａをそれぞれ挿入して取付ける。
次に、この山形状の吊り金具２に取付けられたセンサー押え金具１０の逆Ｕ字状のセンサー保持部１０ｄにセンサー３を挿入することによって、センサー３を圧縮機１の頭部に接触させ、圧縮機頭部温度を検知させるようにする。
【００２７】
なお、この時、センサー保持部１０ｄがセンサー３を圧縮機頭部側へ更に強く押え付けるようにするためには、圧縮機シェル頭部の傾斜寸法とセンサー３の太さ（径）寸法との関係を考慮し、その考慮結果として例えば、押え金具装着部１０ａが吊り金具２の両脚部に挿入された時、センサー保持部１０ｄの根元が圧縮機１のシェル頭部に必ず当たるような構造にしておけば良い。
【００２８】
また、以上説明したような構成においては、図５に示すように、圧縮機１の吊り金具２にセンサー押え金具１０を挿入し、センサー３を取付けたままでも、圧縮機１を吊るすフック５を吊り金具２に挿入しても、挿入空間が充分確保され、センサー押え金具１０を外すことなく、圧縮機１を吊り上げて運搬できるようになる。即ち、圧縮機１の吊り上げタイミングが制限されないようになるため、組立工程の自由度が増す。
【００２９】
【発明の効果】
この発明は以上説明したように、圧縮機の頭部に設けられ、該圧縮機を吊るす山形状の吊り金具部と、この山形状の吊り金具の両脚部に脱着自在に装着され、前記圧縮機の頭部温度を検知するセンサーを保持するセンサー押え金具と、を備え、前記センサー押え金具が、前記吊り金具部に装着されることによって前記センサーが前記圧縮機の頭部に当接するようにしたので、少ない構成部品で、圧縮機頭部の温度を正確に検出でき、特に、上記部品を付けたまでも圧縮機の運搬ができるようになるため、経済的で、使い勝手が良く、信頼性の高い圧縮機センサーの取付装置が得られる。
【００３０】
また、前記センサー押え金具が、前記山形状の吊り金具の両脚部に装着される手段として前記吊り金具の脚部の断面形状とほぼ同じ寸法のＵ字状の押え金具装着部を両端部に具備したので、センサー押え金具を簡単に挿脱できるようになるため、使い勝手の良い圧縮機センサーの取付装置が得られる。
【００３１】
また、前記センサー押え金具が、前記センサーを前記圧縮機の頭部に保持する手段として前記センサーの断面形状とほぼ同じ寸法の逆Ｕ字状のセンサー保持部を具備したので、センサーを圧縮機頭部に確り固定できるようになるため、圧縮機頭部の温度を正確に検出す信頼性の高い圧縮機センサーの取付装置が得られる。
【００３２】
また、前記両端部のＵ字状押え金具装着部の互いの軸心のなす角度が、前記吊り金具部の両脚部の互いのなす角度よりも大きくなるように構成されたので、押え金具装着部が吊り金具の両脚部の角度に沿って圧縮機頭部側へ倒され、センサーが圧縮機頭部へ押え付けられようになるため、圧縮機頭部温度を更に正確に検知する信頼性の高い圧縮機センサーの取付装置が得られる。
【００３３】
また、前記Ｕ字状の押え金具装着部が、そのＵ字状の先端部に前記吊り金具部を案内するくの字状の案内部を具備したので、吊り金具部がスムースに押え金具装着部へ挿入されると共に、押え金具装着部の強度が増して確り固定されるようになるため、更に信頼性が高く、使い勝手の良い圧縮機センサーの取付装置が得られる。
【００３４】
また、前記逆Ｕ字状のセンサー保持部が、その逆Ｕ字状の先端部に前記センサーを案内するくの字状の案内部を具備したので、センサーがスムースに押え金具装着部へ挿入されると共に、センサー保持部の強度が増して確り固定されるようになるため、更に信頼性が高く、使い勝手の良い圧縮機センサーの取付装置が得られる。
【図面の簡単な説明】
【図１】  この発明の実施の形態１における全体構成の斜視図である。
【図２】  この発明の実施の形態１におけるセンサー押え金具の詳細構成図である。
【図３】  この発明の実施の形態１におけるセンサー押え金具の詳細動作図である。
【図４】  この発明の実施の形態１における他の形態の概略構成図である。
【図５】  この発明の実施の形態１における圧縮機吊り上げ状態を示す斜視図である。
【図６】  従来の全体構成図である。
【図７】  従来のセンサー押え金具の取付け状態を示す斜視図である。
【図８】  従来のセンサー押え金具の詳細構成図である。
【図９】  従来の圧縮機吊り上げ状態を示す斜視図である。
【符号の説明】
１  圧縮機、  ２  吊り金具、  ３  センサー、  ３ａ  センサー直径寸法、  ５  圧縮機吊り上げ具（フック）、１０  センサー押え金具、  １０ａ  センサー押え金具装着部、  １０ｂ  押え金具装着部の傾斜角度、  １０ｄ  センサー保持部、  １０ｅ  折り曲げ部、  １０ｆ  センサー挿入寸法。
【図１】
0004395958.tif 000002
【図２】
0004395958.tif 000003
【図３】
0004395958.tif 000004
【図４】
0004395958.tif 000005
【図５】
0004395958.tif 000006
【図６】
0004395958.tif 000007
【図７】
0004395958.tif 000008
【図８】
0004395958.tif 000009
【図９】
0004395958.tif 000010